(57)【特許請求の範囲】
【請求項１】
携帯しやすい多機能ランニングマシンであって、ベースを含み、前記ベースの中には回転溝が形成され、前記回転溝の前方には前溝が形成され、前記回転溝の後方には後溝が形成され、前記前溝の左側には左空間が形成され、前記左空間の上方には上溝が形成され、前記回転溝の中には左回転軸が回転可能に連結され、前記左回転軸には左プーリが固定的に連結され、前記回転溝の後壁にはモータが固定的に連結され、前記モータには右回転軸が伝動可能に連結され、前記右回転軸には右プーリが固定的に連結され、前記右プーリと前記左プーリとの間には伝送ベルトが伝動可能に連結され、
前記前溝の中には腕力の伸長に役立つ前伸長板が回転可能に設置され、前記後溝の中には腕力の伸長に役立つ後伸長板が回転可能に設置され、前記回転溝の左上側には起き上がり腹筋運動のサポートを果たす足固定枠が回転可能に設置され、前記ベースの前後にはそれぞれ前回転棒と後回転棒が回転可能に設置され、前記前溝と前記後溝の内壁にはそれぞれ傾斜度の調整をできる前支脚と後支脚がスライド可能に連結され、前記前回転棒と前記後回転棒を反時計回りに回せば前記前伸長板と前記後伸長板と前記前支脚と前記後支脚と前記足固定枠とを有効的に収納できることを特徴とする携帯しやすい多機能ランニングマシン。
【請求項２】
前記回転溝の中において前記左回転軸と前記右回転軸との間には第一軸と第二軸と第三軸と第四軸とが回転可能に連結され、前記第一軸と前記第二軸と前記第三軸と前記第四軸のそれぞれには第一ガイド輪と第二ガイド輪と第三ガイド輪と第四ガイド輪が固定的に連結され、前記回転溝の左上側には左止板が固定的に連結され、前記回転溝の右上側には右止板が固定的に連結され、前記回転溝の上方には中止板が前後対称に且つ固定的に連結されていることを特徴とする請求項１に記載の携帯しやすい多機能ランニングマシン。
【請求項３】
前記前回転棒と前記後回転棒の末端にはすがり棒が固定的に連結され、前記前回転棒の下端には前記前溝の前壁と回転可能に連結された前短軸が固定的に連結され、前記前短軸には右前歯車が固定的に連結され、前記後回転棒には前記後溝の後壁と回転可能に連結された後短軸が固定的に連結され、前記後短軸には右後歯車が固定的に連結されていることを特徴とする請求項１に記載の携帯しやすい多機能ランニングマシン。
【請求項４】
前記右前歯車の下方には前下歯車が噛み合っており、前記前下歯車には前記前溝の内壁と回転可能に連結された前下短軸が固定的に連結され、前記前下短軸には前扇形歯車が固定的に連結され、前記前支脚には前記前扇形歯車と間欠的に噛み合う前ラックが固定的に連結されていることを特徴とする請求項３に記載の携帯しやすい多機能ランニングマシン。
【請求項５】
前記右後歯車の下方には後下歯車が噛み合っており、前記後下歯車には前記後溝の内壁と回転可能に連結された後下短軸が固定的に連結され、前記後下短軸には後扇形歯車が固定的に連結され、前記後支脚には前記後扇形歯車と間欠的に噛み合った後ラックが固定的に連結されていることを特徴とする請求項３に記載の携帯しやすい多機能ランニングマシン。
【請求項６】
前記右前歯車には右中歯車が噛み合っており、前記右中歯車には前記前溝の内壁と回転可能に連結された右中短軸が固定的に連結され、前記右中歯車には左中歯車が噛み合っており、前記左中歯車には前記前溝の内壁と回転可能に連結された左中短軸が固定的に連結され、前記左中短軸と前記前伸長板とが固定的に連結されていることを特徴とする請求項４に記載の携帯しやすい多機能ランニングマシン。
【請求項７】
前記右後歯車には中後歯車が噛み合っており、前記中後歯車には前記後溝の内壁と回転可能に連結された中後短軸が固定的に連結され、前記中後歯車には左後歯車が噛み合っており、前記左後歯車には前記後溝の内壁と回転可能に連結された左後短軸が固定的に連結され、前記左後短軸と前記後伸長板とが固定的に連結されていることを特徴とする請求項５に記載の携帯しやすい多機能ランニングマシン。
【請求項８】
前記前伸長板には前ばねが固定的に連結され、前記前ばねには前ハンドルが固定的に連結され、前記後伸長板には後ばねが固定的に連結され、前記後ばねには後ハンドルが固定的に連結されていることを特徴とする請求項１に記載の携帯しやすい多機能ランニングマシン。
【請求項９】
前記左中歯車には左前歯車が噛み合っており、前記左前歯車には前記前溝の内壁と回転可能に連結された左前短軸が固定的に連結され、前記左前短軸には右傘歯車が固定的に連結され、前記右傘歯車には左傘歯車が噛み合っており、前記左傘歯車には前記前溝の左壁と回転可能に連結された外横軸が固定的に連結され、前記外横軸が前記左空間の中には延びて下傘歯車と固定的に連結され、前記下傘歯車には上傘歯車が噛み合っており、前記上傘歯車には前記左空間の上壁と回転可能に連結された短縦軸が固定的に連結され、前記短縦軸が前記上溝の中に延びて左下傘歯車と固定的に連結され、前記左下傘歯車には左上傘歯車が噛み合っており、前記左上傘歯車には前記上溝の内壁と回転可能に連結された左横軸が固定的に連結され、前記左横軸が前記回転溝の中に延びて前記足固定枠と固定的に連結されていることを特徴とする請求項６に記載の携帯しやすい多機能ランニングマシン。
【発明の詳細な説明】
【技術分野】
【０００１】
本願発明は運動選手訓練設備分野に関し、具体的には携帯しやすい多機能ランニングマシンに関する。
【背景技術】
【０００２】
舞台上の一分?は舞台下での十年?の努力の?果である。運動選手に取って、スーパーマンの天賦に絶えない努力こそ望ましい成績が得られる。たとえ極めて劣悪な天気でも努力を惜しまないのである。しかし、人体には体力に制限があり、ひたすら頑張っても科学的な訓練方式がなければ台無しになる。従い、劣悪な天気の日は、一般は室内で訓練を行うが、すべての場所でも訓練機材があるとは限らず、そうすると有効的な訓練を実現し難い。
本願発明は上記問題を解決できる。
【先行技術文献】
【特許文献】
【０００３】
【特許文献１】中国特許出願公開第１０７１５８６４８号明細書
【発明の概要】
【発明が解決しようとする課題】
【０００４】
本願発明は携帯しやすい多機能ランニングマシンを提供し、現有技術における上記欠陥を克服し、本願発明の実用性を強化する。
【課題を解決するための手段】
【０００５】
携帯しやすい多機能ランニングマシンであって、ベースを含み、前記ベースの中には回転溝が形成され、前記回転溝の前方には前溝が形成され、前記回転溝の後方には後溝が形成され、前記前溝の左側には左空間が形成され、前記左空間の上方には上溝が形成され、前記回転溝の中には左回転軸が回転可能に連結され、前記左回転軸には左プーリが固定的に連結され、前記回転溝の後壁にはモータが固定的に連結され、前記モータには右回転軸が伝動可能に連結され、前記右回転軸には右プーリが固定的に連結され、前記右プーリと前記左プーリとの間には伝送ベルトが伝動可能に連結され、前記前溝の中には腕力の伸長に役立つ前伸長板が回転可能に設置され、前記後溝の中には腕力の伸長に役立つ後伸長板が回転可能に設置され、前記回転溝の左上側には起き上がり腹筋運動のサポートを果たす足固定枠が回転可能に設置され、前記ベースの前後にはそれぞれ前回転棒と後回転棒が回転可能に設置され、前記前溝と前記後溝の内壁にはそれぞれ傾斜度の調整をできる前支脚と後支脚がスライド可能に連結され、前記前回転棒と前記後回転棒を反時計回りに回せば前記前伸長板と前記後伸長板と前記前支脚と前記後支脚と前記足固定枠とを有効的に収納できる。
【０００６】
有益的に、前記回転溝の中において前記左回転軸と前記右回転軸との間には第一軸と第二軸と第三軸と第四軸とが回転可能に連結され、前記第一軸と前記第二軸と前記第三軸と前記第四軸のそれぞれには第一ガイド輪と第二ガイド輪と第三ガイド輪と第四ガイド輪が固定的に連結され、前記回転溝の左上側には左止板が固定的に連結され、前記回転溝の右上側には右止板が固定的に連結され、前記回転溝の上方には中止板が前後対称に且つ固定的に連結されている。
【０００７】
有益的に、前記前回転棒と前記後回転棒の末端にはすがり棒が固定的に連結され、前記前回転棒の下端には前記前溝の前壁と回転可能に連結された前短軸が固定的に連結され、前記前短軸には右前歯車が固定的に連結され、前記後回転棒には前記後溝の後壁と回転可能に連結された後短軸が固定的に連結され、前記後短軸には右後歯車が固定的に連結されている。
【０００８】
有益的に、前記右前歯車の下方には前下歯車が噛み合っており、前記前下歯車には前記前溝の内壁と回転可能に連結された前下短軸が固定的に連結され、前記前下短軸には前扇形歯車が固定的に連結され、前記前支脚には前記前扇形歯車と間欠的に噛み合う前ラックが固定的に連結されている。
【０００９】
有益的に、前記右後歯車の下方には後下歯車が噛み合っており、前記後下歯車には前記後溝の内壁と回転可能に連結された後下短軸が固定的に連結され、前記後下短軸には後扇形歯車が固定的に連結され、前記後支脚には前記後扇形歯車と間欠的に噛み合った後ラックが固定的に連結されている。
【００１０】
有益的に、前記右前歯車には右中歯車が噛み合っており、前記右中歯車には前記前溝の内壁と回転可能に連結された右中短軸が固定的に連結され、前記右中歯車には左中歯車が噛み合っており、前記左中歯車には前記前溝の内壁と回転可能に連結された左中短軸が固定的に連結され、前記左中短軸と前記前伸長板とが固定的に連結されている。
【００１１】
有益的に、前記右後歯車には中後歯車が噛み合っており、前記中後歯車には前記後溝の内壁と回転可能に連結された中後短軸が固定的に連結され、前記中後歯車には左後歯車が噛み合っており、前記左後歯車には前記後溝の内壁と回転可能に連結された左後短軸が固定的に連結され、前記左後短軸と前記後伸長板とが固定的に連結されている。
【００１２】
有益的に、前記前伸長板には前ばねが固定的に連結され、前記前ばねには前ハンドルが固定的に連結され、前記後伸長板には後ばねが固定的に連結され、前記後ばねには後ハンドルが固定的に連結されている。
【００１３】
有益的に、前記左中歯車には左前歯車が噛み合っており、前記左前歯車には前記前溝の内壁と回転可能に連結された左前短軸が固定的に連結され、前記左前短軸には右傘歯車が固定的に連結され、前記右傘歯車には左傘歯車が噛み合っており、前記左傘歯車には前記前溝の左壁と回転可能に連結された外横軸が固定的に連結され、前記外横軸が前記左空間の中には延びて下傘歯車と固定的に連結され、前記下傘歯車には上傘歯車が噛み合っており、前記上傘歯車には前記左空間の上壁と回転可能に連結された短縦軸が固定的に連結され、前記短縦軸が前記上溝の中に延びて左下傘歯車と固定的に連結され、前記左下傘歯車には左上傘歯車が噛み合っており、前記左上傘歯車には前記上溝の内壁と回転可能に連結された左横軸が固定的に連結され、前記左横軸が前記回転溝の中に延びて前記足固定枠と固定的に連結されている。
【発明の効果】
【００１４】
本願発明の有益効果は：本願発明は傾斜度を自由に調整でき、ランニング以外に腕力の鍛えや起き上がり腹筋運動もでき、訓練を終えた後本願発明全体を有効的に収納し、携帯や包装しやすく、訓練効率を高める。
【図面の簡単な説明】
【００１５】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１６】
【図１】図１は本願発明の全体の構成図
【図２】図２は図１の右面構成図
【図３】図３は図１におけるＡ―Ａ断面の構成図
【図４】図４は図２におけるＢ―Ｂ断面の構成図
【発明を実施するための形態】
【００１７】
携帯しやすい多機能ランニングマシンであって、ベース１０を含み、前記ベース１０の中には回転溝１１が形成され、前記回転溝１１の前方には前溝４７が形成され、前記回転溝１１の後方には後溝５５が形成され、前記前溝４７の左側には左空間５６が形成され、前記左空間５６の上方には上溝５７が形成され、前記回転溝１１の中には左回転軸１７が回転可能に連結され、前記左回転軸１７には左プーリ１８が固定的に連結され、前記回転溝１１の後壁にはモータ４９が固定的に連結され、前記モータ４９には右回転軸３０が伝動可能に連結され、前記右回転軸３０には右プーリ２９が固定的に連結され、前記右プーリ２９と前記左プーリ１８との間には伝送ベルト１５が伝動可能に連結され、前記前溝４７の中には腕力の伸長に役立つ前伸長板４０が回転可能に設置され、前記後溝５５の中には腕力の伸長に役立つ後伸長板３２が回転可能に設置され、前記回転溝１１の左上側には起き上がり腹筋運動のサポートを果たす足固定枠１４が回転可能に設置され、前記ベース１０の前後にはそれぞれ前回転棒３７と後回転棒３５が回転可能に設置され、前記前溝４７と前記後溝５５の内壁にはそれぞれ傾斜度の調整をできる前支脚４６と後支脚２７がスライド可能に連結され、前記前回転棒３７と前記後回転棒３５を反時計回りに回せば前記前伸長板４０と前記後伸長板３２と前記前支脚４６と前記後支脚２７と前記足固定枠４とを有効的に収納できる。
【００１８】
有益的には、前記回転溝１１の中において前記左回転軸１７と前記右回転軸３０との間には第一軸２０と第二軸２２と第三軸２４と第四軸２６とが回転可能に連結され、前記第一軸２０と前記第二軸２２と前記第三軸２４と前記第四軸２６のそれぞれには第一ガイド輪１９と第二ガイド輪２１と第三ガイド輪２３と第四ガイド輪２５が固定的に連結され、前記回転溝１１の左上側には左止板１２が固定的に連結され、前記回転溝１１の右上側には右止板３１が固定的に連結され、前記回転溝１１の上方には中止板１６が前後対称に且つ固定的に連結されている。
【００１９】
有益的には、前記前回転棒３７と前記後回転棒３５の末端にはすがり棒３６が固定的に連結され、前記前回転棒３７の下端には前記前溝４７の前壁と回転可能に連結された前短軸４２が固定的に連結され、前記前短軸４２には右前歯車４１が固定的に連結され、前記後回転棒３５には前記後溝５５の後壁と回転可能に連結された後短軸５４が固定的に連結され、前記後短軸５４には右後歯車５３が固定的に連結されている。
【００２０】
有益的には、前記右前歯車４１の下方には前下歯車４４が噛み合っており、前記前下歯車４４には前記前溝４７の内壁と回転可能に連結された前下短軸４３が固定的に連結され、前記前下短軸４３には前扇形歯車４５が固定的に連結され、前記前支脚４６には前記前扇形歯車４５と間欠的に噛み合う前ラック４８が固定的に連結されている。
【００２１】
有益的には、前記右後歯車５３の下方には後下歯車５２が噛み合っており、前記後下歯車５２には前記後溝５５の内壁と回転可能に連結された後下短軸５１が固定的に連結され、前記後下短軸５１には後扇形歯車５０が固定的に連結され、前記後支脚２７には前記後扇形歯車５０と間欠的に噛み合った後ラック２８が固定的に連結されている。
【００２２】
有益的には、前記右前歯車４１には右中歯車７０が噛み合っており、前記右中歯車７０には前記前溝４７の内壁と回転可能に連結された右中短軸７１が固定的に連結され、前記右中歯車７０には左中歯車６８が噛み合っており、前記左中歯車６８には前記前溝４７の内壁と回転可能に連結された左中短軸６９が固定的に連結され、前記左中短軸６９と前記前伸長板４０とが固定的に連結されている。
【００２３】
有益的には、前記右後歯車５３には中後歯車７４が噛み合っており、前記中後歯車７４には前記後溝５５の内壁と回転可能に連結された中後短軸７５が固定的に連結され、前記中後歯車７４には左後歯車７２が噛み合っており、前記左後歯車７２には前記後溝５５の内壁と回転可能に連結された左後短軸７３が固定的に連結され、前記左後短軸７３と前記後伸長板３２とが固定的に連結されている。
【００２４】
有益的には、前記前伸長板４０には前ばね３９が固定的に連結され、前記前ばね３９には前ハンドル３８が固定的に連結され、前記後伸長板３２には後ばね３４が固定的に連結され、前記後ばね３４には後ハンドル３３が固定的に連結されている。
【００２５】
有益的には、前記左中歯車６８には左前歯車６５が噛み合っており、前記左前歯車６５には前記前溝４７の内壁と回転可能に連結された左前短軸６７が固定的に連結され、前記左前短軸６７には右傘歯車６６が固定的に連結され、前記右傘歯車６６には左傘歯車６４が噛み合っており、前記左傘歯車６４には前記前溝４７の左壁と回転可能に連結された外横軸６３が固定的に連結され、前記外横軸６３が前記左空間５６の中には延びて下傘歯車６２と固定的に連結され、前記下傘歯車６２には上傘歯車６１が噛み合っており、前記上傘歯車６１には前記左空間５６の上壁と回転可能に連結された短縦軸６０が固定的に連結され、前記短縦軸６０が前記上溝５７の中に延びて左下傘歯車５９と固定的に連結され、前記左下傘歯車５９には左上傘歯車５８が噛み合っており、前記左上傘歯車５８には前記上溝５７の内壁と回転可能に連結された左横軸１３が固定的に連結され、前記左横軸１３が前記回転溝１１の中に延びて前記足固定枠１４と固定的に連結されている。
【００２６】
本実施例の上述した固定連結方法はボルト固定と溶接などを含むが、それらの方法に限られない。
【００２７】
本願発明の使用方法：
１．訓練時、前記モータ４９を起動し、前記右回転軸３０を回転連動させることで、前記右プーリ２９が回転し、前記伝動ベルト１５が移動し、使用者は前記伝送ベルト１５の上に立ってランニング訓練を行うことができ、前記すがり棒３６を回し、前記前回転棒３７と前記後回転棒３５とが回転し、前記前短軸４２が回転し、前記右前歯車４１が回転することで、前記前下歯車４４が回転し、前記前下短軸４３が回転し、前記前扇形歯車４５が回転し、前記後短軸５４が回転し、前記右後歯車５３が回転し、前記後下歯車５２が回転し、前記後下短軸５１が回転し、前記後扇形歯車５０が回転し、この時前記前扇形歯車４５が前記前ラック４８と噛み合うことで、前記前支脚４６が上下に移動すると同時に前記後扇形歯車５０と前記後ラック２８とが噛み合って前記後支脚２７を上下に移動連動させ、本願発明全体の傾斜度を調整する。
２．前記モータ４９を停止させ、前記前ハンドル３８と前記後ハンドル３３とを引っ張ることで筋トレをでき、前記伝送ベルト１５の上に横になり、足を前記足固定枠１４の中に差し込めば、起き上がり腹筋運動をできる。
３．訓練を終えた後、前記前回転棒３７と前記後回転棒３５とを反時計回りに回すことで、前記前支脚４６と前記後支脚２７とがそれぞれ前記前溝４７と前記後溝５５の中に入ると同時に、前記前伸長板４０と前記後伸長板３２とが回転してそれぞれ前記前溝４７と前記後溝５５の中に入り、前記足固定枠１４が回転して前記回転溝１１の中に入り、前記前回転棒３７と前記後回転棒３５とが回転した後前記ベース１０と並行となり、本願発明全体が有効的に収納される。
【００２８】
上記実施例は本願発明の技術発想と特徴を説明するためだけで、本分野当業者たちに本願発明を理解し実施していただくことを目的とし、本願発明の請求範囲を制限するものではない。本願発明に基づいて実質に変わりがない変化は本願発明の請求範囲にカバーされる。
【要約】
【課題】本発明は携帯しやすい多機能ランニングマシンを開示した。
【解決手段】ベースを含み、前記ベースの中には回転溝が形成され、前記回転溝の前方には前溝が形成され、前記回転溝の後方には後溝が形成され、前記前溝の左側には左空間が形成され、前記左空間の上方には上溝が形成され、前記回転溝の中には左回転軸が回転可能に連結され、前記左回転軸には左プーリが固定的に連結され、前記回転溝の後壁にはモータが固定的に連結され、前記モータには右回転軸が伝動可能に連結され、前記右回転軸には右プーリが固定的に連結され、前記右プーリと前記左プーリとの間には伝送ベルトが伝動可能に連結され、前記前溝の中には腕力の伸長に役立つ前伸長板が回転可能に設置され、前記後溝の中には腕力の伸長に役立つ後伸長板が回転可能に設置される。
【選択図】図１【図１】
0006753003.tif 000002
【図２】
0006753003.tif 000003
【図３】
0006753003.tif 000004
【図４】
0006753003.tif 000005